(57)【要約】【課題】外部の電力ケーブルの結線作業が容易な照明器具を提供すること。【解決手段】  ＬＥＤモジュール１６と、ＬＥＤモジュール１６を外部の電力ケーブル１５に着脱可能に接続するための端子台２２、が筐体６に収められ、ＬＥＤモジュール１６の光を通す前面カバーが１３筐体６に設けられたトンネル照明器具１において、前面カバー１３が筐体６に開閉不能に取り付けられ、筐体６には外部に引出可能なスライド板３０が設けられ、スライド板３０を筐体６の外部に引き出した状態で端子台２２によって電力ケーブル１５を着脱できるように構成した。【選択図】図４
2018147773.tif 000002
【特許請求の範囲】
【請求項１】
発光素子モジュールと、前記発光素子モジュールを外部の電力ケーブルに着脱可能に接続するための接続手段と、が筐体に収められ、前記発光素子モジュールの光を通す前面カバーが前記筐体に設けられた照明器具において、
前記前面カバーが前記筐体に開閉不能に取り付けられ、
前記筐体には外部に引出可能なスライド板が設けられ、
前記スライド板を前記筐体の外部に引き出した状態で前記接続手段によって前記電力ケーブルを着脱できるように構成した、
ことを特徴とする照明器具。
【請求項２】
前記接続手段は端子台であり、
前記端子台が前記スライド板に取り付けられている、
ことを特徴とする請求項１に記載の照明器具。
【請求項３】
前記外部の電力ケーブルからの給電が停止したときに前記発光素子モジュールに電力を供給するバッテリーが筐体に収められ、
前記バッテリーが前記スライド板に取り付けられている、
ことを特徴とする請求項１または請求項２に記載の照明器具。
【請求項４】
前記発光素子モジュールを駆動する電力を、前記電力ケーブルを通じて供給される電力から生成する電源回路が前記筐体に収められ、
前記電源回路が前記スライド板に取り付けられている、
ことを特徴とする請求項１〜３のいずれかに記載の照明器具。
【請求項５】
前記発光素子モジュールが前記スライド板に取り付けられている、
ことを特徴とする請求項１〜４のいずれかに記載の照明器具。
【請求項６】
前記筐体は、棒状に延びた高熱伝導性を有する押出材で構成され、
前記筐体の端部には、当該端部の開口を塞ぐ側面蓋が設けられており、
前記スライド板が前記側面蓋に結合されている、
ことを特徴とする請求項１〜５のいずれかに記載の照明器具。
【発明の詳細な説明】
【技術分野】
【０００１】
本発明は、照明器具に関する。
【背景技術】
【０００２】
従来、押出材で構成された筐体にＬＥＤを収め、筐体の開口を覆う前面ガラスを、筐体に嵌め込んで開閉不能に固定した構造の照明器具が知られている（例えば、特許文献１参照）。
【先行技術文献】
【特許文献】
【０００３】
【特許文献１】特開２０１５−１１５０９９号公報
【発明の概要】
【発明が解決しようとする課題】
【０００４】
しかしながら、前面ガラスが開閉不能に筐体に固定されていると、照明器具の設置現場において、筐体内部に部材にアクセスし難い。このため、照明器具の設置時において、外部の電力ケーブルを筐体内部に結線する結線作業や、部品の交換作業が困難になる。
本発明は、外部の電力ケーブルの結線作業や、部品の交換作業が容易な照明器具を提供することを目的とする。
【課題を解決するための手段】
【０００５】
本発明は、発光素子モジュールと、前記発光素子モジュールを外部の電力ケーブルに着脱可能に接続するための接続手段と、が筐体に収められ、前記発光素子モジュールの光を通す前面カバーが前記筐体に設けられた照明器具において、前記前面カバーが前記筐体に開閉不能に取り付けられ、前記筐体には外部に引出可能なスライド板が設けられ、前記スライド板を前記筐体の外部に引き出した状態で前記接続手段によって前記電力ケーブルを着脱できるように構成した、ことを特徴とする。
【０００６】
本発明は、上記照明器具において、前記接続手段は端子台であり、前記端子台が前記スライド板に取り付けられている、ことを特徴とする。
【０００７】
本発明は、上記照明器具において、前記外部の電力ケーブルからの給電が停止したときに前記発光素子モジュールに電力を供給するバッテリーが筐体に収められ、前記バッテリーが前記スライド板に取り付けられている、ことを特徴とする。
【０００８】
本発明は、上記照明器具において、前記発光素子モジュールを駆動する電力を、前記電力ケーブルを通じて供給される電力から生成する電源回路が前記筐体に収められ、前記電源回路が前記スライド板に取り付けられている、ことを特徴とする。
【０００９】
本発明は、上記照明器具において、前記発光素子モジュールを駆動する電力を、前記電力ケーブルを通じて供給される電力から生成する電源回路が前記筐体に収められ、前記電源回路が前記スライド板に取り付けられている、ことを特徴とする。
【００１０】
本発明は、上記照明器具において、前記発光素子モジュールが前記スライド板に取り付けられている、ことを特徴とする。
【００１１】
本発明は、上記照明器具において、前記筐体は、棒状に延びた高熱伝導性を有する押出材で構成され、前記筐体の端部には、当該端部の開口を塞ぐ側面蓋が設けられており、前記スライド板が前記側面蓋に結合されている、ことを特徴とする。
【発明の効果】
【００１２】
本発明によれば、外部の電力ケーブルの結線作業が容易な照明器具が実現される。さらにバッテリー内蔵の照明器具において、スライド板にバッテリーを取り付けておくことによりバッテリー交換が容易になる。
【図面の簡単な説明】
【００１３】
【図１】本発明の実施形態に係るトンネル照明器具の設置状態を示す図である。
【図２】トンネル照明器具の構成を示す斜視図である。
【図３】筐体の断面構造の模式図である。
【図４】トンネル照明器具において端子台を引き出した状態を示す図である。
【図５】本発明の変形例に係るトンネル照明器具の構成を示す斜視図である。
【発明を実施するための形態】
【００１４】
以下、図面を参照して本発明の実施形態について説明する。
図１は、本実施形態に係るトンネル照明器具１の設置状態を示す図である。
トンネル照明器具１は、図１に示すように、道路２が延びるトンネル４の天井面５Ａ、または壁面５Ｂ（本実施形態においては天井面５Ａ）に、道路２に沿って所定間隔で設置され、道路２の路面２Ａを照明する。
【００１５】
図２は、トンネル照明器具１の構成を示す斜視図である。
トンネル照明器具１は、図２に示すように、棒状に延びる筐体６を有する。筐体６は、アルミニウムなどの高熱伝導性を有する材料を押出成形して成る押出材で構成されている。筐体６の両側の端部６Ｂ、６Ｃのそれぞれには端部開口７（図４）が設けられており、それぞれの端部開口７が側面蓋１０によって閉塞されている。いずれか一方の側面蓋１０には、ケーブルグランド１４が設けられている。ケーブルグランド１４は、電力ケーブル１５を筐体６の内部に防水性を確保しつつ引き込む引込口である。側面蓋１０は、パッキンを間に挟んで筐体６の端部開口７にネジ止め固定されており、これらパッキン、及びケーブルグランド１４によって、筐体６の端部６Ｂ、６Ｃの防水性が高められている。電力ケーブル１５は、トンネル４に既設のケーブルであり、外部電力をトンネル照明器具１に供給する。
また筐体６の端部６Ｂ、６Ｃには、設置箇所にネジ止め固定される取付金具１１が設けられている。
【００１６】
図３は、筐体６の断面構造の模式図である。
筐体６は、断面コ字状を成し、コ字状の開放端６Ａが照射光の出射開口となり、この開放端には、前面カバー１３が設けられている。前面カバー１３は、後述するＬＥＤモジュール１６の光を通す透明板材であり、例えばガラス材から形成されている。そして、本実施形態のトンネル照明器具１では、前面カバー１３が開閉不能な状態、いわゆる「はめ殺し」の状態で筐体６に設けられている。具体的には、図３に示すように、筐体６の開放端６Ａには、挟持部８が設けられている。挟持部８は、筐体６の開放端６Ａに一体形成され、筐体６の長手方向に延びる凸条８Ａ、８Ｂを有し、これら凸条８Ａ、８Ｂの間に、筐体６の端部６Ｂ、６Ｃ（図２）から前面カバー１３が挿入され、これら凸条８Ａ、８Ｂによって前面カバー１３が挟持される。挟持部８と、前面カバー１３と、の間には、前面カバー１３が挟持部８に接触しないようにパッキン９が設けられており、水密性が高められている。
【００１７】
前掲図２に示すように、トンネル照明器具１は、筐体６の中に、複数のＬＥＤモジュール１６（本実施形態では８個）と、複数（本実施形態では２個）の電源ボックス２０と、端子台２２と、が収められている。
複数のＬＥＤモジュール１６のそれぞれは、発光素子の一例たるＣＯＢ型ＬＥＤ１６Ａと、反射鏡１７と、を備えている。
電源ボックス２０は、各ＬＥＤモジュール１６を駆動する駆動電力を、外部の電力から生成する電源回路２０Ａを内蔵し、当該駆動電力を各ＬＥＤモジュール１６に供給する。また、電源ボックス２０は、電力ケーブル１５からの給電が停止したときに駆動電力を各ＬＥＤモジュール１６に供給するバッテリー２０Ｂを内蔵する。バッテリー２０Ｂは、電源回路２０によって充電される。
端子台２２は、ケーブルグランド１４から筐体６の中に引き込まれた電力ケーブル１５が結線され（図２）、電力ケーブル１５を電源ボックス２０の電源回路２０Ａに電気的に接続する。
【００１８】
本実施形態のトンネル照明器具１では、筐体６の中に、これら複数のＬＥＤモジュール１６と、複数の電源ボックス２０と、端子台２２とが、これらの順番に、筐体６の長手方向に直線状に並べて収められている。
【００１９】
ところで、本実施形態のトンネル照明器具１は、前面カバー１３が筐体６に、いわゆる「はめ殺し」されているので、前面カバー１３が筐体６から外れたり、開放したりすることがない。しかしながら、何ら対策を施さなければ、例えば、トンネル照明器具１の設置作業時に、トンネル４に既設の電力ケーブル１５を、筐体６の中に収められた端子台２２に結線する結線作業が困難となる。
【００２０】
この問題に対し、例えば、トンネル照明器具１の製造出荷時などに、端子台２２に接続したケーブルを、ケーブルグランド１４を通じて筐体６の外に予め引き出し、当該ケーブルの先端にコネクタ構造を設けておくことが考えられる。
しかしながら、この場合、トンネル４の側の電力ケーブル１５においても、その先端に、筐体６から引き出されたケーブルのコネクタ構造に結合するコネクタ構造が設けられている必要があり、トンネル照明器具１を設置可能なトンネル４が制限されてしまう。
【００２１】
そこで本実施形態では、トンネル照明器具１の端子台２２が筐体６から引出可能に構成されることで、かかる問題を解決している。
【００２２】
図４は、筐体６から端子台２２を引き出した状態を示す図である。
同図に示すように、トンネル照明器具１は、筐体６の中に納められるスライド板３０を備えている。スライド板３０は、筐体６の長手方向に延びた板状部材であり、筐体６の長手方向にスライド移動可能に設けられている。
具体的には、筐体６の底面６Ｔには、筐体６の長手方向に延びた保持レール３１が設けられている。また、図３に示すように、スライド板３０の裏面には係合部３２が設けられており、係合部３２が保持レール３１に係合することで、筐体６の内部でスライド板３０が保持レール３１にスライド移動可能に保持される。
【００２３】
本実施形態のスライド板３０の端部３０Ａは、ケーブルグランド１４が設けられた側の側面蓋１０に結合されており、側面蓋１０を引っ張ることで、スライド板３０が筐体６から引き出し可能になっている。そして、スライド板３０には、図４に示すように、端子台２２と、電源ボックス２０とが取り付けられており、側面蓋１０を引っ張ることで、端子台２２、及び電源ボックス２０が引出される。
これにより、トンネル照明器具１の設置時には、作業者は、端子台２２を筐体６から引き出すことで、ケーブルグランド１４を通した電力ケーブル１５を端子台２２に簡単に結線できる。
【００２４】
また本実施形態のトンネル照明器具１では、スライド板３０に取り付けられる部材の中で、端子台２２が側面蓋１０の直近に配置されている。これにより、電力ケーブル１５の結線作業時には、端子台２２が筐体６から引き出される程度だけスライド板３０を引き出せば結線作業が可能である。これにより、結線作業において、スライド板３０の全部を引き出す必要がないので、スライド板３０の脱落や落下を防止できる。
【００２５】
なお、電源ボックス２０の電源回路２０Ａと、ＬＥＤモジュール１６とはリード線で電気的に接続されている。このリード線は、少なくともスライド板３０の引出を阻害しない長さを有している。電源回路２０ＡとＬＥＤモジュール１６との電気的接続には、リード線に代えて、スライド板３０が筐体６に収まったときに導通する接点構造やコネクタ構造が用いられてもよい。
【００２６】
ところで、トンネル照明器具１などの屋外用の照明器具においては、落雷により電力ケーブル１５にサージ電流が流れ、電源回路２０Ａが損傷することがある。この場合、電源回路２０Ａを交換する等のメンテナンス作業が必要となる。
本実施形態のトンネル照明器具１では、電源回路２０Ａを内蔵した電源ボックス２０もスライド板３０に取り付けられ、引出可能になっているので、かかるメンテナンス作業も簡単に行うことができる。
【００２７】
また、本実施形態のトンネル照明器具１では、図４に示すように、ＬＥＤモジュール１６のそれぞれは、スライド板３０には取り付けられておらず、筐体６の底面６Ｔに密着固定されている。これにより、各ＬＥＤモジュール１６の発熱が筐体６に直接伝えられ、効率良く放熱される。
【００２８】
以上説明したように、本実施形態によれば、次のような効果を奏する。
【００２９】
本実施形態のトンネル照明器具１では、前面カバー１３が筐体６に開閉不能に取り付けられているので、前面カバー１３の開放や脱落が防止される。これに加え、筐体６には外部に引出可能なスライド板３０が設けられ、端子台２２がスライド板３０に取り付けられている。これにより、トンネル照明器具１の設置時には、作業者は、端子台２２を筐体６から引き出し、ケーブルグランド１４を通した電力ケーブル１５を端子台２２に簡単に結線できるので、結線作業が容易となる。
【００３０】
本実施形態のトンネル照明器具１では、バッテリー２０Ｂがスライド板３０に取り付けられている。これにより、バッテリー２０Ｂが故障した場合でも、バッテリー２０Ｂを筐体６から簡単に引き出すことができ、バッテリー２０Ｂに対するメンテナンス作業が容易となる。
【００３１】
本実施形態のトンネル照明器具１では、電源回路２０Ａがスライド板３０に取り付けられている。これにより、サージ電流などによって電源回路２０Ａが故障した場合でも、電源回路２０Ａを筐体６から簡単に引き出すことができ、電源回路２０Ａに対するメンテナンス作業が容易となる。
【００３２】
本実施形態のトンネル照明器具１では、筐体６は、棒状に延びた高熱伝導性を有する押出材で構成されているので、放熱性能に優れた棒状の光源が得られる。また、スライド板３０が、筐体６の端部６Ｂ、６Ｃの端部開口７を塞ぐ側面蓋１０に結合されているので、側面蓋１０を引っ張ることで、簡単に、スライド板３０を引き出すことができる。
【００３３】
なお、上述した実施形態は、あくまでも本発明の一態様の例示であり、本発明の趣旨を逸脱しない範囲において任意に変形、及び応用が可能である。
【００３４】
図５は、本発明の変形例に係るトンネル照明器具１００の構成を示す斜視図である。
上述した実施形態においては、ＬＥＤモジュール１６は、筐体６に密着固定されている。これに対し、図５に示すように、ＬＥＤモジュール１６のそれぞれも、スライド板３０に取り付けられても良い。
本変形例によれば、トンネル照明器具１００の設置後に、ＬＥＤモジュール１６が不点灯になる等して、ＬＥＤモジュール１６に対するメンテナンスが必要になった場合でも、ＬＥＤモジュール１６を筐体６から引き出して簡単にメンテナンスできる。
【００３５】
上述した実施形態では、発光素子の一例として、ＣＯＢ型ＬＥＤ１６Ａを挙げたが、任意のＬＥＤを用いることができる。また、ＬＥＤに代えて、有機ＥＬなどの任意の発光素子を用いることができる。
【００３６】
上述した実施形態では、照明器具の一例として、トンネル照明器具１を挙げたが、これに限らず、任意の照明器具に本発明を適用できる。
【符号の説明】
【００３７】
１、１００  トンネル照明器具（照明器具）
６  筐体
６Ａ  開放端
６Ｂ、６Ｃ  端部
６Ｇ  背面（外面）
７  端部開口（開口）
９  パッキン
１０  側面蓋
１３  前面カバー
１４  ケーブルグランド
１５  電力ケーブル
１６  ＬＥＤモジュール（発光素子モジュール）
２０  電源ボックス
２０Ａ  電源回路
２０Ｂ  バッテリー
２２  端子台
３０  スライド板
【図１】
2018147773.tif 000003
【図２】
2018147773.tif 000004
【図３】
2018147773.tif 000005
【図４】
2018147773.tif 000006
【図５】
2018147773.tif 000007